【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
印刷に供する画像データを検索するための検索指示を印刷指示クライアントより受信する手段と、
前記検索指示により特定される前記画像データと、該画像データと関連する原稿情報とを抽出する手段と、
前記原稿情報を、前記画像データを検索指示する前記印刷指示クライアントへ送信する手段と、
前記原稿情報を受信した前記印刷指示クライアントから、前記画像データの印刷に係る印刷設定を受信する手段と、
前記画像データと前記原稿情報と前記印刷設定とをプリンタへ出力する手段と
を有することを特徴とする画像管理装置。
【請求項２】
前記画像データを保存する手段を有することを特徴とする請求項１記載の画像管理装置。
【請求項３】
前記原稿情報を保存する手段を有することを特徴とする請求項１又は２記載の画像管理装置。
【請求項４】
前記プリンタは、前記画像管理装置とネットワークを介して接続されるプリンタ装置であり、前記画像管理装置は、前記画像データと前記原稿情報と前記印刷設定とを前記プリンタ装置へ出力することを特徴とする請求項１〜３の何れかに記載の画像管理装置。
【請求項５】
前記印刷設定は、前記印刷に対するステープル処理またはパンチ処理に関する設定であることを特徴とする請求項１〜４の何れかに記載の画像管理装置。
【請求項６】
前記印刷設定は、前記画像データに対する章分け処理、差し込みページ処理、一枚集約処理のうち少なくともいずれか１つに関する設定であることを特徴とする請求項１〜５の何れかに記載の画像管理装置。
【請求項７】
前記原稿情報は、前記画像データの内容に関するものであることを特徴とする請求項１〜５の何れかに記載の画像管理装置。
【請求項８】
前記原稿情報は、前記画像データに係る画像の向き、縦書き又は横書き、章区切りの１つ又は２つ以上を含んでいることを特徴とする請求項１〜５の何れかに記載の画像管理装置。
【請求項９】
印刷に供する画像データを管理する画像管理装置と、該画像管理装置とネットワークを介して接続される画像データを印刷するプリンタ装置とを有する画像処理システムにおいて、
前記画像管理装置は、
前記画像データを検索するための検索指示を印刷指示クライアントより受信する手段と、
前記検索指示により特定される前記画像データと、該画像データと関連する原稿情報とを抽出する手段と、
前記原稿情報を、前記画像データを検索指示する前記印刷指示クライアントへ送信する手段と、
前記原稿情報を受信した前記印刷指示クライアントから前記画像データの印刷に係る印刷設定を受信する手段と、
前記画像データと前記原稿情報と前記印刷設定とを前記プリンタ装置へ出力する手段と
を有することを特徴とする画像処理システム。
【請求項１０】
前記画像管理装置は、前記画像データを保存する手段を有することを特徴とする請求項９記載の画像処理システム。
【請求項１１】
前記画像管理装置は、前記原稿情報を保存する手段を有することを特徴とする請求項９又は１０記載の画像処理システム。
【請求項１２】
前記プリンタ装置は、
送信された前記印刷設定を解析するジョブ設定解析手段と、
前記原稿情報を解析する原稿情報解析手段と、
該ジョブ設定解析手段及び該原稿情報解析手段で解析された情報を基に前記画像データをＰＤＬ展開するＰＤＬ展開手段と、
該ＰＤＬ展開手段で展開されたデータに基づいて印刷を行う印刷手段と
を有することを特徴とする請求項９〜１１の何れかに記載の画像処理システム。
【請求項１３】
前記プリンタ装置は、
前記ジョブ設定解析手段は、前記原稿情報の解析結果とジョブ設定とを関連付けたジョブ設定テーブルを有し、
前記ジョブ設定解析手段により、前記印刷設定が自動設定である旨の解析がされた場合、前記ジョブ設定テーブルから前記原稿情報解析手段における前記原稿情報の解析結果に対応するジョブ設定に基づいてジョブモードが決定されることを特徴とする請求項１２に記載の画像処理システム。
【請求項１４】
前記画像管理装置は、前記画像データと前記原稿情報とを関連付ける画像管理テーブルを有することを特徴とする請求項９〜１３記載の画像処理システム。
【請求項１５】
前記印刷設定は、前記印刷に対するステープル処理またはパンチ処理に関する設定であることを特徴とする請求項９〜１４の何れかに記載の画像処理システム。
【請求項１６】
前記印刷設定は、前記画像データに対する章分け処理、差し込みページ処理、一枚集約処理のうち少なくともいずれか１つに関する設定であることを特徴とする請求項９〜１４の何れかに記載の画像処理システム。
【請求項１７】
前記原稿情報は、前記画像データの内容に関するものであることを特徴とする請求項９〜１４の何れかに記載の画像処理システム。
【請求項１８】
前記原稿情報は、前記画像データに係る画像の向き、縦書き又は横書き、章区切りの１つ又は２つ以上を含んでいることを特徴とする請求項９〜１４の何れかに記載の画像処理システム。
【請求項１９】
登録元クライアントより画像データを受信する手段と、
該画像データをファイルとして蓄積する手段と、
前記登録元クライアントより前記画像データに関連する原稿情報を受信する手段と、
該原稿情報をファイルとして蓄積する手段と、
前記画像データと前記原稿情報とを関連付ける画像管理テーブルと
を有することを特徴とする画像管理装置。
【請求項２０】
前記原稿情報は、前記画像データの内容に関するものであることを特徴とする請求項１９に記載の画像管理装置。
【請求項２１】
前記原稿情報は、前記画像データに係る画像の向き、縦書き又は横書き、章区切りの１つ又は２つ以上を含んでいることを特徴とする請求項１９に記載の画像管理装置。
【請求項２２】
前記画像管理装置は、さらに前記登録元クライアントからユーザ情報を受信する手段を有し、該ユーザ情報を、前記画像データ及び前記原稿情報と関連付けて蓄積することを特徴とする請求項１９〜２１の何れかに記載の画像管理装置。
【請求項２３】
画像データを管理する画像管理装置と、該画像管理装置とネットワークを介して接続される登録元クライアントとを有する画像処理システムにおいて、
前記画像管理装置は、
前記登録元クライアントより画像データを受信する手段と、
該画像データをファイルとして蓄積する手段と、
前記登録元クライアントより前記画像データに関連する原稿情報を受信する手段と、
該原稿情報をファイルとして蓄積する手段と、
前記画像データと前記原稿情報とを関連付ける画像管理テーブルと
を有することを特徴とする画像処理システム。
【請求項２４】
前記原稿情報は、前記画像データの内容に関するものであることを特徴とする請求項２３に記載の画像処理システム。
【請求項２５】
前記原稿情報は、前記画像データに係る画像の向き、縦書き又は横書き、章区切りの１つ又は２つ以上を含んでいることを特徴とする請求項２３に記載の画像処理システム。
【請求項２６】
前記画像管理装置は、さらに前記登録元クライアントからユーザ情報を受信する手段を有し、該ユーザ情報を、前記画像データ及び前記原稿情報と関連付けて蓄積することを特徴とする請求項２３〜２５の何れかに記載の画像処理システム。
【手続補正２】
【補正対象書類名】明細書
【補正対象項目名】０００９
【補正方法】変更
【補正の内容】
【０００９】
（請求項１）
印刷に供する画像データを検索するための検索指示を印刷指示クライアントより受信する手段と、
前記検索指示により特定される前記画像データと、該画像データと関連する原稿情報とを抽出する手段と、
前記原稿情報を、前記画像データを検索指示する前記印刷指示クライアントへ送信する手段と、
前記原稿情報を受信した前記印刷指示クライアントから、前記画像データの印刷に係る印刷設定を受信する手段と、
前記画像データと前記原稿情報と前記印刷設定とをプリンタへ出力する手段と
を有することを特徴とする画像管理装置。
（請求項２）
前記画像データを保存する手段を有することを特徴とする請求項１記載の画像管理装置。
（請求項３）
前記原稿情報を保存する手段を有することを特徴とする請求項１又は２記載の画像管理装置。
（請求項４）
前記プリンタは、前記画像管理装置とネットワークを介して接続されるプリンタ装置であり、前記画像管理装置は、前記画像データと前記原稿情報と前記印刷設定とを前記プリンタ装置へ出力することを特徴とする請求項１〜３の何れかに記載の画像管理装置。
【手続補正３】
【補正対象書類名】明細書
【補正対象項目名】００１０
【補正方法】変更
【補正の内容】
【００１０】
（請求項５）
前記印刷設定は、前記印刷に対するステープル処理またはパンチ処理に関する設定であることを特徴とする請求項１〜４の何れかに記載の画像管理装置。
（請求項６）
前記印刷設定は、前記画像データに対する章分け処理、差し込みページ処理、一枚集約処理のうち少なくともいずれか１つに関する設定であることを特徴とする請求項１〜５の何れかに記載の画像管理装置。
（請求項７）
前記原稿情報は、前記画像データの内容に関するものであることを特徴とする請求項１〜５の何れかに記載の画像管理装置。
（請求項８）
前記原稿情報は、前記画像データに係る画像の向き、縦書き又は横書き、章区切りの１つ又は２つ以上を含んでいることを特徴とする請求項１〜５の何れかに記載の画像管理装置。
【手続補正４】
【補正対象書類名】明細書
【補正対象項目名】００１１
【補正方法】変更
【補正の内容】
【００１１】
（請求項９）
印刷に供する画像データを管理する画像管理装置と、該画像管理装置とネットワークを介して接続される画像データを印刷するプリンタ装置とを有する画像処理システムにおいて、
前記画像管理装置は、
前記画像データを検索するための検索指示を印刷指示クライアントより受信する手段と、
前記検索指示により特定される前記画像データと、該画像データと関連する原稿情報とを抽出する手段と、
前記原稿情報を、前記画像データを検索指示する前記印刷指示クライアントへ送信する手段と、
前記原稿情報を受信した前記印刷指示クライアントから前記画像データの印刷に係る印刷設定を受信する手段と、
前記画像データと前記原稿情報と前記印刷設定とを前記プリンタ装置へ出力する手段と
を有することを特徴とする画像処理システム。
（請求項１０）
前記画像管理装置は、前記画像データを保存する手段を有することを特徴とする請求項９記載の画像処理システム。
（請求項１１）
前記画像管理装置は、前記原稿情報を保存する手段を有することを特徴とする請求項９又は１０記載の画像処理システム。
（請求項１２）
前記プリンタ装置は、
送信された前記印刷設定を解析するジョブ設定解析手段と、
前記原稿情報を解析する原稿情報解析手段と、
該ジョブ設定解析手段及び該原稿情報解析手段で解析された情報を基に前記画像データをＰＤＬ展開するＰＤＬ展開手段と、
該ＰＤＬ展開手段で展開されたデータに基づいて印刷を行う印刷手段と
を有することを特徴とする請求項９〜１１の何れかに記載の画像処理システム。
（請求項１３）
前記プリンタ装置は、
前記ジョブ設定解析手段は、前記原稿情報の解析結果とジョブ設定とを関連付けたジョブ設定テーブルを有し、
前記ジョブ設定解析手段により、前記印刷設定が自動設定である旨の解析がされた場合、前記ジョブ設定テーブルから前記原稿情報解析手段における前記原稿情報の解析結果に対応するジョブ設定に基づいてジョブモードが決定されることを特徴とする請求項１２に記載の画像処理システム。
【手続補正５】
【補正対象書類名】明細書
【補正対象項目名】００１２
【補正方法】変更
【補正の内容】
【００１２】
（請求項１４）
前記画像管理装置は、前記画像データと前記原稿情報とを関連付ける画像管理テーブルを有することを特徴とする請求項９〜１３記載の画像処理システム。
（請求項１５）
前記印刷設定は、前記印刷に対するステープル処理またはパンチ処理に関する設定であることを特徴とする請求項９〜１４の何れかに記載の画像処理システム。
（請求項１６）
前記印刷設定は、前記画像データに対する章分け処理、差し込みページ処理、一枚集約処理のうち少なくともいずれか１つに関する設定であることを特徴とする請求項９〜１４の何れかに記載の画像処理システム。
（請求項１７）
前記原稿情報は、前記画像データの内容に関するものであることを特徴とする請求項９〜１４の何れかに記載の画像処理システム。
（請求項１８）
前記原稿情報は、前記画像データに係る画像の向き、縦書き又は横書き、章区切りの１つ又は２つ以上を含んでいることを特徴とする請求項９〜１４の何れかに記載の画像処理システム。
【手続補正６】
【補正対象書類名】明細書
【補正対象項目名】００１３
【補正方法】変更
【補正の内容】
【００１３】
（請求項１９）
登録元クライアントより画像データを受信する手段と、
該画像データをファイルとして蓄積する手段と、
前記登録元クライアントより前記画像データに関連する原稿情報を受信する手段と、
該原稿情報をファイルとして蓄積する手段と、
前記画像データと前記原稿情報とを関連付ける画像管理テーブルと
を有することを特徴とする画像管理装置。
（請求項２０）
前記原稿情報は、前記画像データの内容に関するものであることを特徴とする請求項１９に記載の画像管理装置。
（請求項２１）
前記原稿情報は、前記画像データに係る画像の向き、縦書き又は横書き、章区切りの１つ又は２つ以上を含んでいることを特徴とする請求項１９に記載の画像管理装置。
（請求項２２）
前記画像管理装置は、さらに前記登録元クライアントからユーザ情報を受信する手段を有し、該ユーザ情報を、前記画像データ及び前記原稿情報と関連付けて蓄積することを特徴とする請求項１９〜２１の何れかに記載の画像管理装置。
【手続補正７】
【補正対象書類名】明細書
【補正対象項目名】００１４
【補正方法】変更
【補正の内容】
【００１４】
（請求項２３）
画像データを管理する画像管理装置と、該画像管理装置とネットワークを介して接続される登録元クライアントとを有する画像処理システムにおいて、
前記画像管理装置は、
前記登録元クライアントより画像データを受信する手段と、
該画像データをファイルとして蓄積する手段と、
前記登録元クライアントより前記画像データに関連する原稿情報を受信する手段と、
該原稿情報をファイルとして蓄積する手段と、
前記画像データと前記原稿情報とを関連付ける画像管理テーブルと
を有することを特徴とする画像処理システム。
（請求項２４）
前記原稿情報は、前記画像データの内容に関するものであることを特徴とする請求項２３に記載の画像処理システム。
（請求項２５）
前記原稿情報は、前記画像データに係る画像の向き、縦書き又は横書き、章区切りの１つ又は２つ以上を含んでいることを特徴とする請求項２３に記載の画像処理システム。
（請求項２６）
前記画像管理装置は、さらに前記登録元クライアントからユーザ情報を受信する手段を有し、該ユーザ情報を、前記画像データ及び前記原稿情報と関連付けて蓄積することを特徴とする請求項２３〜２５の何れかに記載の画像処理システム。
【手続補正８】
【補正対象書類名】明細書
【補正対象項目名】００１７
【補正方法】変更
【補正の内容】
【００１７】
本発明の画像処理システムにおいては、例えば、図１に示すように、前記画像データを登録するための画像管理装置（以下、サーバという）として画像サーバを用い、前記サーバに画像データを登録するための登録元クライアントとしてＰＣやスキャナを用い、前記サーバに対し当該サーバに登録された画像データをプリントする指示を行う印刷指示クライアントとしてＰＤＡやＰＣ等を用い、前記プリンタとして出力先プリンタを用いることが出来る。